(57)【要約】【課題】予め設定されたライブカメラで撮影した映像を、予め設定された日時に自動的に取得して表示することができ、ユーザにとっての取り扱いを便利にして実用に十分に適するようにした映像処理装置及び映像処理方法を提供すること。【解決手段】実施の形態によれば、映像処理装置は、設定手段と取得手段と表示制御手段とを備えている。設定手段は、日時を設定する。取得手段は、設定手段によって予め設定された日時に、ネットワーク経由でライブカメラへのアクセスを開始し、当該ライブカメラで撮影された映像信号を取得する。表示制御手段は、設定手段によって予め設定された日時に、取得手段で取得した映像信号を映像表示に供させる。【選択図】    図１
2012120242.tif 000002
【特許請求の範囲】
【請求項１】
日時を設定するための設定手段と、
前記設定手段によって予め設定された日時に、ネットワーク経由でライブカメラへのアクセスを開始し、当該ライブカメラで撮影された映像信号を取得する取得手段と、
前記設定手段によって予め設定された日時に、前記取得手段で取得した映像信号を映像表示に供させる表示制御手段とを具備する映像処理装置。
【請求項２】
放送信号を受信する受信手段と、
前記受信手段で受信する放送信号から映像信号を復元する復元手段と、
前記復元手段で復元した映像信号と前記取得手段で取得した映像信号とを切り替えて映像表示に供させる切替手段とを具備する請求項１記載の映像処理装置。
【請求項３】
前記設定手段は、ライブカメラへのアクセスを開始する曜日の設定が可能である請求項１記載の映像処理装置。
【請求項４】
前記設定手段は、前記取得手段で取得した映像信号を映像表示に供させる場合、立体視表示させることの設定が可能である請求項１記載の映像処理装置。
【請求項５】
前記取得手段は、記録媒体に記録されたアクセス情報に基づいてライブカメラにアクセスする請求項１記載の映像処理装置。
【請求項６】
前記記録媒体にアクセス情報が記録されていないライブカメラに対するアクセス情報を前記記録媒体に追加記録する手段と、前記記録媒体にアクセス情報が記録されているライブカメラに対するアクセス情報を前記記録媒体から削除する手段との、少なくともいずれかを具備する請求項５記載の映像処理装置。
【請求項７】
前記アクセス情報を記録している記録媒体を選択する手段を具備する請求項５記載の映像処理装置。
【請求項８】
前記取得手段は、予め設定された所定の時間間隔で複数のライブカメラにアクセスする請求項１記載の映像処理装置。
【請求項９】
日時を設定するための設定手段と、
ネットワーク経由でライブカメラへのアクセスを開始する時間と、前記ライブカメラで撮影された映像信号に基づく映像表示を開始する時間とを、前記設定手段によって設定された日時に基づいて制御する制御手段とを具備する映像処理装置。
【請求項１０】
設定手段により日時を設定する工程と、
前記設定手段によって予め設定された日時に、取得手段により、ネットワーク経由でライブカメラへのアクセスを開始し、当該ライブカメラで撮影された映像信号を取得する工程と、
前記設定手段によって予め設定された日時に、表示制御手段により、前記取得手段で取得した映像信号を映像表示に供させる工程とを有する映像処理方法。
【請求項１１】
設定手段により日時を設定する工程と、
制御手段により、ネットワーク経由でライブカメラへのアクセスを開始する時間と、前記ライブカメラで撮影された映像信号に基づく映像表示を開始する時間とを、前記設定手段によって設定された日時に基づいて制御する工程とを有する映像処理方法。
【発明の詳細な説明】
【技術分野】
【０００１】
この発明の実施の形態は、例えばデジタルテレビジョン放送受信装置等のような映像処理装置及び映像処理方法に関する。
【背景技術】
【０００２】
周知のように、首記の如きデジタルテレビジョン放送受信装置にあっては、デジタルテレビジョン放送を受信して視聴に供させるだけでなく、例えばインターネット等の通信ネットワークを介して必要なサイトにアクセスし、そのサイトから所望のコンテンツを取得して表示させる機能を有するものが普及している。
【０００３】
具体的に言えば、ユーザが、インターネットに接続されたデジタルテレビジョン放送受信装置に対し、リモートコントローラを操作して、アクセス可能なWebサイトのリストを表示させ、そのリストから所望のWebサイトを選択してアクセスすることにより、選択したWebサイトからWebページを取得して表示するようにしている。
【０００４】
ところで、このようなインターネット接続機能を備えたデジタルテレビジョン放送受信装置において、Webページを表示させる際には、ユーザがWebサイトにアクセスする操作を行なう必要がある。このため、例えば定期的に同じWebページを視聴するような場合には、ユーザにとっての取り扱いが煩雑になっている。
【０００５】
特に、近年、例えば観光地や主要都市等には、その風景や街の様子を撮影するために複数のライブカメラ（Webカメラ）が設置されてきている。これらのライブカメラで撮影された映像は、ユーザが、管轄するWebサイトにインターネットを介してアクセスすることにより、Webページとして取得し視聴することができる。
【０００６】
このようなライブカメラの場合、例えば毎朝同じ時間に同じ位置からの朝日を視聴したい等、同じライブカメラで撮影した同じ風景の映像を定期的に視聴したいという要求が多くあり、上記したように、Webページを表示させる毎にWebサイトへのアクセス操作を行なうのは、ユーザにとって煩わしいものとなっている。
【先行技術文献】
【特許文献】
【０００７】
【特許文献１】特開２００５−３１２４１０号公報
【発明の概要】
【発明が解決しようとする課題】
【０００８】
予め設定されたライブカメラで撮影した映像を、予め設定された日時に自動的に取得して表示することができ、ユーザにとっての取り扱いを便利にして実用に十分に適するようにした映像処理装置及び映像処理方法を提供することを目的とする。
【課題を解決するための手段】
【０００９】
実施の形態によれば、映像処理装置は、設定手段と取得手段と表示制御手段とを備えている。設定手段は、日時を設定する。取得手段は、設定手段によって予め設定された日時に、ネットワーク経由でライブカメラへのアクセスを開始し、当該ライブカメラで撮影された映像信号を取得する。表示制御手段は、設定手段によって予め設定された日時に、取得手段で取得した映像信号を映像表示に供させる。
【図面の簡単な説明】
【００１０】
【図１】実施の形態としてのデジタルテレビジョン放送受信装置の信号処理系の一例を説明するために示すブロック構成図。
【図２】同実施の形態におけるデジタルテレビジョン放送受信装置に使用されるリモートコントローラの一例を説明するために示す外観図。
【図３】同実施の形態におけるデジタルテレビジョン放送受信装置で使用されるライブカメラリストの一例を説明するために示す図。
【図４】同実施の形態におけるデジタルテレビジョン放送受信装置で表示される設定画面の一例を説明するために示す図。
【図５】同実施の形態におけるデジタルテレビジョン放送受信装置で表示されるスライドショー設定画面の一例を説明するために示す図。
【図６】同実施の形態におけるデジタルテレビジョン放送受信装置で表示される開始日時設定画面の一例を説明するために示す図。
【図７】同実施の形態におけるデジタルテレビジョン放送受信装置で使用されるライブカメラリストの他の例を説明するために示す図。
【図８】同実施の形態におけるデジタルテレビジョン放送受信装置で表示されるメニュー設定画面の一例を説明するために示す図。
【図９】実施の形態におけるデジタルテレビジョン放送受信装置の変形例を説明するために示すブロック構成図。
【図１０】同実施の形態におけるデジタルテレビジョン放送受信装置で使用されるライブカメラリストのさらに他の例を説明するために示す図。
【発明を実施するための形態】
【００１１】
以下、実施の形態について図面を参照して詳細に説明する。図１は、この実施の形態で説明するデジタルテレビジョン放送受信装置１１の信号処理系を示している。なお、このデジタルテレビジョン放送受信装置１１は、通常の平面視（２次元）表示用の映像信号に基づく映像表示を行なうだけでなく、立体視（３次元）表示用の映像信号に基づく映像表示も行なうことができる。
【００１２】
すなわち、アンテナ１２で受信したデジタルテレビジョン放送信号は、入力端子１３を介してチューナ部１４に供給されることにより、所望のチャンネルの放送信号が選局される。そして、このチューナ部１４で選局された放送信号は、復調復号部１５に供給されてデジタルの映像信号及び音声信号等に復元された後、信号処理部１６に出力される。
【００１３】
この信号処理部１６は、復調復号部１５から供給されたデジタルの映像信号及び音声信号に対してそれぞれ所定のデジタル信号処理を施している。この信号処理部１６が行なう所定のデジタル信号処理には、通常の平面視（２次元）表示用の映像信号を立体視（３次元）表示用の映像信号に変換する処理や、立体視（３次元）表示用の映像信号を平面視（２次元）表示用の映像信号に変換する処理等も含まれている。
【００１４】
そして、この信号処理部１６は、デジタルの映像信号を合成処理部１７に出力し、デジタルの音声信号を音声処理部１８に出力している。このうち、合成処理部１７は、信号処理部１６から供給されるデジタルの映像信号に、ＯＳＤ（on screen display）信号を重畳して出力している。
【００１５】
この場合、合成処理部１７は、信号処理部１６から供給される映像信号が通常の平面視（２次元）表示用の映像信号であれば、その映像信号にＯＳＤ信号をそのまま重畳して出力している。また、この合成処理部１７は、信号処理部１６から供給される映像信号が立体視（３次元）表示用の映像信号であれば、重畳するＯＳＤ信号に対して、入力された立体視（３次元）表示用の映像信号に対応した立体視（３次元）表示用の信号処理を施した後、そのＯＳＤ信号を入力映像信号に重畳して出力している。
【００１６】
このようにして合成処理部１７から出力されたデジタルの映像信号は、映像処理部１９に供給されて、後段の、例えば液晶表示パネル等を有する平面型の映像表示部２０で表示可能なフォーマットに変換される。そして、この映像処理部１９から出力された映像信号が、映像表示部２０に供給されて映像表示に供される。
【００１７】
また、上記音声処理部１８は、入力されたデジタルの音声信号を、後段のスピーカ２１で再生可能なフォーマットのアナログ音声信号に変換している。そして、この音声処理部１８から出力されたアナログ音声信号が、スピーカ２１に供給されることにより音声再生に供される。
【００１８】
ここで、このデジタルテレビジョン放送受信装置１１は、上記した各種の受信動作を含むその全ての動作を制御部２２によって統括的に制御されている。この制御部２２は、ＣＰＵ（central processing unit）２２ａを内蔵しており、デジタルテレビジョン放送受信装置１１の本体に設置された操作部２３からの操作情報を受けて、または、リモートコントローラ２４から送出され受信部２５で受信した操作情報を受けて、その操作内容が反映されるように各部をそれぞれ制御している。
【００１９】
この場合、制御部２２は、デジタルテレビジョン放送受信装置１１の内蔵メモリであるＲＯＭ（read only memory）２２ｂとＲＡＭ（random access memory）２２ｃと不揮発性メモリ２２ｄとを利用している。ＲＯＭ２２ｂは、ＣＰＵ２２ａが実行する制御プログラムを格納している。ＲＡＭ２２ｃは、該ＣＰＵ２２ａに作業エリアを提供するために用いられる。不揮発性メモリ２２ｄは、各種の設定情報及び制御情報等が格納される。
【００２０】
また、この制御部２２には、外付メモリインターフェース２６が接続されている。この外付メモリインターフェース２６は、例えばＵＳＢ（universal serial bus）接続規格等に準拠した接続手段となっており、ＵＳＢメモリ等の外付メモリ２７を着脱自在に接続可能となっている。これにより、制御部２２は、外付メモリインターフェース２６を介して外付メモリ２７と情報伝送を行なうことができる。
【００２１】
さらに、この制御部２２には、ＨＤＤ（hard disk drive）２８が接続されている。この制御部２２は、ユーザによる操作部２３やリモートコントローラ２４等の操作に基づいて、上記復調復号部１５から得られるデジタルの映像信号及び音声信号を、記録再生処理部２９によって暗号化し所定の記録フォーマットに変換した後、ＨＤＤ２８に供給してハードディスク２８ａに記録させるように制御することができる。
【００２２】
また、この制御部２２は、ユーザによる操作部２３やリモートコントローラ２４等の操作に基づいて、ＨＤＤ２８によりハードディスク２８ａからデジタルの映像信号及び音声信号を読み出させ、上記記録再生処理部２９によって復号化した後、信号処理部１６に供給することによって、以後、上記した映像表示及び音声再生に供させるように制御することができる。
【００２３】
さらに、上記デジタルテレビジョン放送受信装置１１には、入力端子３０が接続されている。この入力端子３０は、デジタルテレビジョン放送受信装置１１の外部からデジタルの映像信号及び音声信号を直接入力するためのものである。この入力端子３０を介して入力されたデジタルの映像信号及び音声信号は、制御部２２の制御に基づいて、記録再生処理部２９を介した後、信号処理部１６に供給されて、以後、上記した映像表示及び音声再生に供される。
【００２４】
また、この入力端子３０を介して入力されたデジタルの映像信号及び音声信号は、制御部２２の制御に基づいて、記録再生処理部２９を介した後、ＨＤＤ２８によるハードディスク２８ａに対しての記録再生に供される。
【００２５】
さらに、上記制御部２２は、ネットワークインターフェース３１を介して外部のネットワーク（例えばインターネット等）３２に接続されている。このため、制御部２２は、ユーザによる操作部２３やリモートコントローラ２４等の操作に基づいて、ネットワーク３２上に接続された各種のサイト（例えばWebサイト等）のいずれかにアクセスすることにより、そこで提供している映像コンテンツ（例えばWebページ等）を取得することができるようになっている。
【００２６】
この実施の形態では、ネットワーク３２上に接続された各種のサイトとして、ライブカメラ（Webカメラ）で撮影した映像コンテンツを提供するものを対象としている。このため、図１では、理解を容易にするために、ネットワーク３２上に複数のライブカメラ３３１，３３２，……，３３ｎが接続されている形態で記述している。
【００２７】
そして、上記制御部２２は、複数のライブカメラ３３１〜３３ｎに対して選択的にアクセスし、アクセスしたライブカメラから取得した映像信号を信号処理部１６に供給することによって、映像表示に供させることができる。すなわち、複数のライブカメラ３３１〜３３ｎに選択的にアクセスし、そこで撮影した映像を表示することができる。
【００２８】
また、上記制御部２２は、タイマ２２ｅを備えており、このタイマ２２ｅによって日時の計測や経過時間の測定等を行なっている。これにより、制御部２２は、予め設定した日時に予め設定したチャンネルのデジタルテレビジョン放送を自動的に受信して視聴に供させる予約視聴や、予め設定した日時に予め設定したチャンネルのデジタルテレビジョン放送を自動的に受信してＨＤＤ２８で記録させる予約記録等を実現することができる。
【００２９】
さらに、上記制御部２２は、タイマ２２ｃを利用することにより、予め設定した日時に予め設定したライブカメラ（例えば３３１）に自動的にアクセスし、そのライブカメラ３３１で撮影した映像を取得し映像表示させるといった、ネットワーク３２上のいずれかのライブカメラ３３１〜３３ｎに対しての予約視聴を実現することができる。
【００３０】
この場合、上記制御部２２は、ネットワーク３２上の複数のライブカメラ３３１〜３３ｎに対して、予め設定された順序で所定時間間隔毎に順次アクセスすることにより、複数のライブカメラ３３１〜３３ｎで撮影した映像を所定時間間隔で順次映像表示させる、いわゆる、スライドショーを実現することができる。
【００３１】
図２は、上記リモートコントローラ２４の外観を示している。このリモートコントローラ２４には、主として、電源キー２４ａ、放送／ライブカメラ切替キー２４ｂ、数字キー２４ｃ、チャンネルアップダウンキー２４ｄ、音量調整キー２４ｅ、カーソル上キー２４ｆ、カーソル下キー２４ｇ、カーソル左キー２４ｈ、カーソル右キー２４ｉ、決定キー２４ｊ、メニューキー２４ｋ、戻るキー２４ｌ、終了キー２４ｍ、４色（青，赤，緑，黄）のカラーキー２４ｎ等が設けられている。
【００３２】
このうち、放送／ライブカメラ切替キー２４ｂが放送に切り替えられたとき、制御部２２は、アンテナ１２で受信したデジタルテレビジョン放送信号を映像表示及び音声再生に供させるように制御する。また、放送／ライブカメラ切替キー２４ｂがライブカメラに切り替えられたとき、制御部２２は、ライブカメラ３３１〜３３ｎから選択的に取得した映像を表示に供させるように制御する。
【００３３】
また、このリモートコントローラ２４には、再生停止キー２４ｏ、再生／一時停止キー２４ｐ、逆方向スキップキー２４ｑ、順方向スキップキー２４ｒ、早戻しキー２４ｓ、早送りキー２４ｔ等が設けられている。
【００３４】
すなわち、上記ＨＤＤ２８から取得した映像や音声等の情報に対しては、リモートコントローラ２４の再生停止キー２４ｏや再生／一時停止キー２４ｐを操作することにより、再生、停止、一時停止を行なうことが可能となる。
【００３５】
また、リモートコントローラ２４の逆方向スキップキー２４ｑや順方向スキップキー２４ｒを操作することにより、ＨＤＤ２８で再生している映像や音声等の情報を、その再生方向に対して逆方向や順方向に一定量ずつスキップさせる、いわゆる、逆方向スキップや順方向スキップを行なうことができる。
【００３６】
さらに、リモートコントローラ２４の早戻しキー２４ｓや早送りキー２４ｔ等を操作することにより、ＨＤＤ２８で再生している映像や音声等の情報を、その再生方向に対して逆方向や順方向に連続的に高速で再生させる、いわゆる、早戻し再生や早送り再生を行なうことができる。
【００３７】
ここで、複数のライブカメラ３３１〜３３ｎで撮影した映像を所定時間間隔で順次映像表示させるスライドショーについて詳細に説明する。すなわち、上記した外付メモリ２７には、図３に示すような、ライブカメラリスト３４が記録されている。このライブカメラリスト３４は、スライドショーを行なう際に、複数のライブカメラ３３１〜３３ｎにそれぞれアクセスするための情報であるＵＲＬ（uniform resource locator）が、アクセスする順序で記述されたテキストファイルである。
【００３８】
このライブカメラリスト３４は、ユーザが例えば図示しないＰＣ（personal computer）等を用いて、撮影した映像を視聴したい複数のライブカメラ３３１〜３３ｎのＵＲＬを取得し、それらのＵＲＬをスライドショーで表示させる順序に並べる編集作業を行ない、その編集結果を外付メモリ２７に記録させることにより作成される。
【００３９】
なお、図３に示した複数のＵＲＬは、例えば「AAAAAAA」が地名を表わし、No.XXがその地名の場所に設置された複数のライブカメラ３３１〜３３ｎそれぞれに対する識別番号を表わすものとする。具体的に言えば、「AAAAAAA」が富士山を示し、No.XXが富士山を様々なアングルから撮影するように設置された複数のライブカメラ３３１〜３３ｎそれぞれの識別番号を示している。
【００４０】
また、上記不揮発性メモリ２２ｄには、スライドショーを実現するために必要な各種の設定情報が記録されている。この設定情報は、主として、スライドショーを開始する日時や、各ライブカメラ３３１〜３３ｎから取得した映像を表示させる時間間隔等を示すものであって、ユーザが適宜設定可能になっている。
【００４１】
この設定情報を設定する操作は、つまり、設定情報を不揮発性メモリ２２ｄに記録させる操作は、ユーザが、リモートコントローラ２４のメニューキー２４ｋを操作し、階層構造となされた複数種類のメニュー画面に分け入ることにより、図４に示すような設定画面３５を映像表示部２０に表示させることにより開始される。
【００４２】
この設定画面３５には、複数（図示の場合は３つ）の設定項目が表示されている。これらの設定項目は、ユーザがリモートコントローラ２４のカーソル上または下キー２４ｆ，２４ｇを操作することにより上方向または下方向にスクロールされる。これにより、ユーザは、全ての設定項目を閲覧することができる。
【００４３】
そして、ユーザは、リモートコントローラ２４のカーソル上または下キー２４ｆ，２４ｇを操作することにより、複数の設定項目の中から「スライドショー設定」なる項目を選択し、決定キー２４ｊを操作する。すると、図５に示すようなスライドショー設定画面３６が映像表示部２０に表示される。
【００４４】
このスライドショー設定画面３６には、「ライブカメラリスト」、「表示間隔」、「設定日時で開始」、「開始日時設定」及び「開始」なる５つの項目が表示されている。このうち、「ライブカメラリスト」なる項目は、使用するライブカメラリスト３４が記録されている場所を設定するもので、外付メモリ２７か内蔵メモリ（メモリ部２２ｂ）かを設定可能となっている。
【００４５】
すなわち、リモートコントローラ２４のカーソル上または下キー２４ｆ，２４ｇを操作して、「ライブカメラリスト」の項目を選択し決定キー２４ｊを操作した後、カーソル上または下キー２４ｆ，２４ｇを操作すると、操作する毎に、外付メモリ２７と内蔵メモリ（不揮発性メモリ２２ｄ）とが交互に切り替えられて設定可能となる。図５では、外付メモリ２７に設定されている。
【００４６】
また、「表示間隔」なる項目は、複数のライブカメラ３３１〜３３ｎで撮影した映像を順次映像表示させる際の表示間隔を設定するもので、リモートコントローラ２４のカーソル上または下キー２４ｆ，２４ｇを操作して、「表示間隔」の項目を選択し決定キー２４ｊを操作した後、カーソル上または下キー２４ｆ，２４ｇを操作すると、操作する毎に、一定時間ずつ時間を長くまたは短くなる方向に設定可能となる。図５では５秒に設定されている。
【００４７】
さらに、「設定日時で開始」なる項目は、設定された開始日時でスライドショーを開始するか（ＯＮ）否か（ＯＦＦ）を設定可能となっている。すなわち、リモートコントローラ２４のカーソル上または下キー２４ｆ，２４ｇを操作して、「設定日時で開始」の項目を選択し決定キー２４ｊを操作した後、カーソル上または下キー２４ｆ，２４ｇを操作すると、操作する毎に、開始する（ＯＮ）と開始しない（ＯＦＦ）とが交互に切り替えられて設定可能となる。図５では、スライドショーを開始する（ＯＮ）となっている。
【００４８】
また、「開始日時設定」なる項目は、スライドショーを開始する日時を設定する項目である。ユーザがリモートコントローラ２４のカーソル上または下キー２４ｆ，２４ｇを操作して、この「開始日時設定」なる項目を選択し決定キー２４ｊを操作すると、図６に示すような開始日時設定画面３７が映像表示部２０に表示される。
【００４９】
この開始日時設定画面３７は、「日、月、火、水、木、金、土」なる７曜日を示す項目、「開始時間１，２，３，４」なる４つの開始時間を示す項目、「２Ｄ／３Ｄ」なる項目が表示されている。「日、月、火、水、木、金、土」なる項目は、スライドショーを開始する曜日を設定するもので、リモートコントローラ２４のカーソル左または右キー２４ｈ，２４ｉを操作して所望の曜日を選択し決定キー２４ｊを操作すると、その曜日が設定される。図６では日、金、土が設定され黒い印が付されている。
【００５０】
「開始時間１，２，３，４」なる項目は、スライドショーを開始する時間を４種類設定可能とするもので、リモートコントローラ２４のカーソル上または下キー２４ｆ，２４ｇを操作して所望の番号を選択し決定キー２４ｊを操作することにより、その選択された番号について開始時間を入力可能となる。開始時間の入力は、リモートコントローラ２４の数字キー２４ｃを操作して行ない、決定キー２４ｊが操作されたとき開始時間が設定される。図６では、「開始時間１」に午前６時が設定され、「開始時間２」に午後６時が設定されている。
【００５１】
「２Ｄ／３Ｄ」なる項目は、ライブカメラ３３１〜３３ｎからの映像を平面視（２次元）表示させるか立体視（３次元）表示させるかを選択するもので、リモートコントローラ２４のカーソル左または右キー２４ｈ，２４ｉを操作して２Ｄか３Ｄかを選択し決定キー２４ｊを操作すると設定される。図６ではハッチングで示すように３Ｄが設定されている。
【００５２】
また、図５に示したスライドショー設定画面３６において、「開始」なる項目は、スライドショーを直ちに開始させるもので、リモートコントローラ２４のカーソル上または下キー２４ｆ，２４ｇを操作して、この「開始」なる項目を選択し決定キー２４ｊを操作することにより、直ちにスライドショーが開始される。
【００５３】
上記のように、外付メモリ２７にライブカメラリスト３４が記録され、不揮発性メモリ２２ｄに各種の設定情報が記録され、ユーザがリモートコントローラ２４の放送／ライブカメラ切替キー２４ｂをライブカメラに切り替えている状態で、制御部２２が、タイマ２２ｃの日時計測により、スライドショーの開始日時として設定された例えば日曜日の午前６時に達したと判断したとする。
【００５４】
すると、制御部２２は、外付メモリ２７に記録されたライブカメラリスト３４に記録されている最初のＵＲＬに基づいて、例えばライブカメラ３３１にアクセスし、そこで撮影された映像を取得して５秒間だけ表示する。その後、制御部２２は、ライブカメラリスト３４に記録されている次のＵＲＬに基づいて、例えばライブカメラ３３２にアクセスし、そこで撮影された映像を取得して５秒間だけ表示する。
【００５５】
このようにして制御部２２は、ライブカメラリスト３４に記録された残りの全てのＵＲＬについて、以上のような動作を繰り返し行ない、ライブカメラリスト３４に記録されている最後のＵＲＬに基づいて、例えばライブカメラ３３ｎにアクセスし、そこで撮影された映像を取得して５秒間だけ表示した後、スライドショーを終了する。
【００５６】
ここで、各ライブカメラ３３１〜３３ｎから取得した映像信号が、平面視（２次元）表示用の映像信号である場合には、制御部２２は、上記「２Ｄ／３Ｄ」なる項目の設定に基づいて、各ライブカメラ３３１〜３３ｎから取得した映像信号を、立体視（３次元）表示用の映像信号に変換するように信号処理部１６を制御する。これにより、信号処理部１６により立体視（３次元）表示用の映像信号に変換された映像信号が、映像表示部２０で表示されることになる。
【００５７】
そして、各ライブカメラ３３１〜３３ｎから取得した映像信号を、平面視（２次元）表示用の映像信号から立体視（３次元）表示用の映像信号に変換する際には、風景対応の立体視（３次元）映像信号処理を施すようにしている。すなわち、ライブカメラ３３１〜３３ｎで撮影した映像は、風景であることが非常に多いため、風景対応の映像信号処理を行なうことにより、ユーザにとって見易い表示映像となる。この風景対応の映像信号処理としては、例えばベースラインを強調し、フェイス対応機能やモーション対応機能をオフにして、奥行き感の高い風景対応の立体視映像が表示されるようにしている。
【００５８】
上記した実施の形態によれば、予め設定されたスライドショーの開始日時に、予め設定されたライブカメラ３３１〜３３ｎに自動的に順次アクセスし、撮影した映像をスライドショーで視聴することができるようにしたので、ユーザにとっての取り扱いを便利にして実用に十分に適するものとなる。
【００５９】
また、上記した実施の形態では、外付メモリ２７にライブカメラリスト３４を記録し、不揮発性メモリ２２ｄにスライドショーの開始日時や表示時間間隔等を記録しているため、１回のスライドショーでは、ライブカメラリスト３４に記述された全てのＵＲＬに対応するライブカメラ３３１〜３３ｎから得られる映像が表示対象となる。
【００６０】
これに対し、図７に示すように、外付メモリ２７に記録されたライブカメラリスト３４に記録されている各ＵＲＬに、それぞれ開始日時を付加することもできる。このようにすれば、ライブカメラ３３１〜３３ｎ毎に開始日時を設定することができるため、自由度の高いスライドショーを実現することができる。
【００６１】
また、図３や図７に示したライブカメラリスト３４は、外付メモリ２７から不揮発性メモリ２２ｄにコピーして使用することも可能である。さらに、不揮発性メモリ２２ｄにコピーされたライブカメラリスト３４に、ＰＣ等を用いることなく、新たなライブカメラのＵＲＬを追加することが可能である。
【００６２】
すなわち、ユーザがリモートコントローラ２４を操作して、不揮発性メモリ２２ｄ内のライブカメラリストにまだ含まれていない、ネットワーク３２上の所望のライブカメラにアクセスし、そのライブカメラ３３２で撮影した映像を表示させる。この状態で、ユーザがリモートコントローラ２４の黄色のカラーキー２４ｎを操作すると、図８に示すようなメニュー画面３８が表示される。
【００６３】
このメニュー画面３８には、複数（図示の場合は３つ）の設定項目が表示されている。これらの設定項目は、ユーザがリモートコントローラ２４のカーソル上または下キー２４ｆ，２４ｇを操作することにより上方向または下方向にスクロールされる。これにより、ユーザは、全ての設定項目を閲覧することができる。
【００６４】
そして、ユーザは、リモートコントローラ２４のカーソル上または下キー２４ｆ，２４ｇを操作することにより、複数の設定項目の中から「ライブカメラリストに追加」なる項目を選択し、決定キー２４ｊを操作する。これにより、先に表示されていた映像を提供しているライブカメラのＵＲＬが、既に不揮発性メモリ２２ｄに記録されているライブカメラリスト３４に追加される。
【００６５】
なお、ユーザが、不揮発性メモリ２２ｄに記録されたライブカメラリスト３４の中から所望のＵＲＬを選択し、そのＵＲＬに対応するライブカメラの映像を表示させた状態で上記メニュー画面３８を表示させ、その複数の設定項目の中から「ライブカメラリストから削除」なる項目を選択し、決定キー２４ｊを操作する。これにより、先に表示されていた映像を提供しているライブカメラのＵＲＬが、既に不揮発性メモリ２２ｄに記録されているライブカメラリスト３４から削除される。
【００６６】
また、図９に示すように、ネットワーク３２上に接続されているサーバ３９に、図１０（ａ），（ｂ），（ｃ）に示すような複数（図示の場合は３つ）のライブカメラリスト３４，４０，４１を用意する。これらのライブカメラリスト３４，４０，４１は、例えばスライドショーで表示するためにおすすめのライブカメラリストとして、予め作成されてサーバ３９に用意されるものである。
【００６７】
ユーザは、リモートコントローラ２４を操作してサーバ３９にアクセスし、各ライブカメラリスト３４，４０，４１の中から所望のライブカメラリストを選択して要求することにより、そのライブカメラリストをサーバ３９から不揮発性メモリ２２ｄにダウンロードすることができる。
【００６８】
また、ライブカメラリスト単位ではなく、個々のライブカメラ単位で、そのＵＲＬをサーバ３９からダウンロードして、不揮発性メモリ２２ｄ内にライブカメラリストを作成することも可能である。
【００６９】
そして、不揮発性メモリ２２ｄ内に複数のライブカメラリスト３４，４０，４１が記録された状態で、リモートコントローラ２４の放送／ライブカメラ切替キー２４ｂをライブカメラに切り替えると、各ライブカメラリスト３４，４０，４１をチャンネルのように切り替えることで、切り替えられたライブカメラリストに対応したスライドショーを行なうことができる。
【００７０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７１】
１１…デジタルテレビジョン放送受信装置、１２…アンテナ、１３…入力端子、１４…チューナ部、１５…復調復号部、１６…信号処理部、１７…合成処理部、１８…音声処理部、１９…映像処理部、２０…映像表示部、２１…スピーカ、２２…制御部、２２ａ…ＣＰＵ、２２ｂ…ＲＯＭ、２２ｃ…ＲＡＭ、２２ｄ…不揮発性メモリ、２２ｅ…タイマ、２３…操作部、２４…リモートコントローラ、２５…受信部、２６…外付メモリインターフェース、２７…外付メモリ、２８…ＨＤＤ、２８ａ…ハードディスク、２９…記録再生処理部、３０…入力端子、３１…ネットワークインターフェース、３２…ネットワーク、３３１〜３３ｎ…ライブカメラ、３４…ライブカメラリスト、３５…設定画面、３６…スライドショー設定画面、３７…開始日時設定画面、３８…メニュー画面、３９…サーバ、４０，４１…ライブカメラリスト。
【図１】
2012120242.tif 000003
【図２】
2012120242.tif 000004
【図３】
2012120242.tif 000005
【図４】
2012120242.tif 000006
【図５】
2012120242.tif 000007
【図６】
2012120242.tif 000008
【図７】
2012120242.tif 000009
【図８】
2012120242.tif 000010
【図９】
2012120242.tif 000011
【図１０】
2012120242.tif 000012